(57)【要約】【課題】背景環境に基づいて音声信号の振幅を調整するための装置を提供することである。【解決手段】音声信号を放送するための放送システムにおける、背景に基づいて音声信号の振幅を調整するための調整装置であって、  放送された音声信号に関連する第１の音声および背景に関連する第２の音声を受信し、前記受信された第１の音声から変換された第１の信号および前記受信された第２の音声から変換された第２の信号を備える処理信号を生成するための音声受信モジュールと、  前記音声信号および前記処理信号を受け、前記処理信号および前記音声信号を使用して前記処理信号から前記第２の信号を抽出するための処理モジュールと、  前記抽出された第２の信号および前記音声信号を受け、前記抽出された第２の信号および判断基準により利得を生成し、前記利得により前記音声信号の前記振幅を調整するための調整モジュールとを備えること。【選択図】図１
2007082173.tif 000002
【特許請求の範囲】
【請求項１】
音声信号を放送するための放送システムにおける、背景に基づいて音声信号の振幅を調整するための調整装置であって、
放送された音声信号に関連する第１の音声および背景に関連する第２の音声を受信し、前記受信された第１の音声から変換された第１の信号および前記受信された第２の音声から変換された第２の信号を備える処理信号を生成するための音声受信モジュールと、
前記音声信号および前記処理信号を受け、前記処理信号および前記音声信号を使用して前記処理信号から前記第２の信号を抽出するための処理モジュールと、
前記抽出された第２の信号および前記音声信号を受け、前記抽出された第２の信号および判断基準により利得を生成し、前記利得により前記音声信号の前記振幅を調整するための調整モジュールとを備えることを特徴とする調整装置。
【請求項２】
前記処理モジュールが、減算器、比較器、および増幅器を備え、前記増幅器が、前記放送された音声信号の第２の振幅を調整するようになされ、前記減算器が、前記調整された音声信号から前記処理信号を減算するようになされ、前記比較器が、前記減算結果をゼロと比較するようになされたことを特徴とする請求項１に記載の調整装置。
【発明の詳細な説明】
【技術分野】
【０００１】
本発明は、音声信号の振幅を自動的に調整するための装置に関し、より具体的には背景環境に基づいて音声信号の振幅を自動的に調整するための装置に関する。本発明は、音声受信モジュール、処理モジュール、および調整モジュールを含む。処理モジュールは、音声受信モジュールによって生成された処理信号を受けるようになされている。処理モジュールは、処理信号から信号を抽出する。ついで調整モジュールが、基準と、抽出された信号によって利得を生成し、その利得によって音声信号の振幅を調整する。
【背景技術】
【０００２】
本発明が発明される前は、ユーザは調整装置の音量制御ボタンにより音声信号の振幅を調整していた。しかしユーザは、音量制御ボタンを調整する間音声信号の部分を聞き漏らすこともある。
【０００３】
装置が自動車内に設定されている場合、ユーザは運転中に音量制御ボタンを調整しなくてはならないこともあり、自動車事故が起こることもある。従来技術による調整装置は、音声信号の振幅を自動車の速度によって生成される音量によって自動的に調整する。しかし、この装置は音声信号の振幅を正確に調整することはできない。さらに、音声信号の振幅を自動的に調整するこの装置を、雑音をともなう環境に適用することはできない。
【発明の開示】
【発明が解決しようとする課題】
【０００４】
したがって音量を正確に調整し、背景環境に基づいて音声信号の振幅を調整する能力がある装置を提供することが必要である。
【０００５】
本発明の目的は、背景環境に基づいて音声信号の振幅を調整するための装置を提供することである。本発明の好ましい実施形態によれば、従来技術の装置が騒音をともなう環境で使用できず、音量を正確に制御できないという問題が解決される。
【課題を解決するための手段】
【０００６】
本発明の調整装置は、音声信号を放送するための放送システムにおける、背景に基づいて音声信号の振幅を調整するための調整装置であって、
放送された音声信号に関連する第１の音声および背景に関連する第２の音声を受信し、前記受信された第１の音声から変換された第１の信号および前記受信された第２の音声から変換された第２の信号を備える処理信号を生成するための音声受信モジュールと、
前記音声信号および前記処理信号を受け、前記処理信号および前記音声信号を使用して前記処理信号から前記第２の信号を抽出するための処理モジュールと、
前記抽出された第２の信号および前記音声信号を受け、前記抽出された第２の信号および判断基準により利得を生成し、前記利得により前記音声信号の前記振幅を調整するための調整モジュールとを備えることからなる。
又、前記処理モジュールが、減算器、比較器、および増幅器を備え、前記増幅器が、前記放送された音声信号の第２の振幅を調整するようになされ、前記減算器が、前記調整された音声信号から前記処理信号を減算するようになされ、前記比較器が、前記減算結果をゼロと比較するようになされたことが好適である。
【発明を実施するための最良の形態】
【０００７】
本発明の利点および範囲は、添付図面と共に下記詳述によって理解されよう。
又、本発明は以下の説明および添付の図面を参照することにより、より完全に理解することができる。
【０００８】
図１を参照されたい。図１は本発明の好ましい実施形態による調整装置の機能ブロック図である。調整装置１は、音声信号を放送するための放送システムで使用される。増幅器１４は、スピーカ１５をトリガするようになされている。増幅器１４は第２の利得を有する。増幅器１４は、第２の利得により音声信号を出力し、スピーカ１５を介して放送する。
【０００９】
調整装置１は音声受信モジュール１１を含む。音声受信モジュール１１は、放送された音声信号に関連する第１の音声および背景環境に関連する第２の音声を受信するようになされ、音声受信モジュール１１によって受信された第１の音声から変換された第１の信号および音声受信モジュール１１によって受信された第２の音声から変換された第２の信号を含むプロセス信号も生成する。
【００１０】
本発明のこの実施形態では増幅器の増幅効率はｗ、スピーカの増幅効率はｓである。空中における音波の伝送減衰の度合いはａである。音声受信モジュール１１の受信効率はｍである。増幅器１４から出力され放送された音声信号から、放送された音声信号を受信する音声受信モジュール１１までの総合効率はｎであり、ｎはｍａｓｗに等しい。
【００１１】
一般的にスピーカの出力効率ｓおよび空中における音波の伝送減衰の度合いａは設置場所／環境によって変化する。したがって総合効率も異なる設置現場によって変化する。
【００１２】
図２を参照されたい。図２は、本発明のこの好ましい実施形態による処理モジュールの機能ブロック図である。処理モジュールは、減算器１２１、比較器１２２、および第２の増幅器１２３を含む。第２の増幅器１２３は、音声信号を増幅して放送するようになされている。減算器１２１は、第２の増幅器１２３によって増幅された、調整された音声信号から処理信号を減算するようになされている。比較器１２２は、減算結果をゼロと比較するようになされている。第２の増幅器１２３の機能は、増幅器１４から音声信号を受信する音声受信モジュール１１へ出力される放送された音声信号の総合効率をｎにシミュレートすることである。第２の増幅器１２３の効率がｎｌで、かつ減算器１２１の結果がゼロである場合にはｎはｎｌに等しい。
【００１３】
減算器１２１の結果がゼロでない場合は、第２の増幅器１２３は、処理信号の減算および第２の減算器１２３のシミュレートされた効率がゼロになるまでその効率をｎ２に調整する。したがって第２の信号は、処理モジュール１２による処理信号の減算および第２の増幅器の出力から得られる。
【００１４】
図１に示されているように、調整モジュール１３は、抽出された第２の信号および音声信号を受け、抽出された第２の信号および評価基準により利得を生成し、その利得によって音声信号の振幅を調整する。
【００１５】
従来技術に比べ、本発明は音量を正確に制御し、音声信号の振幅を背景環境に基づいて自動的に調整するための装置を提供する。
【００１６】
上記例および説明で、本発明の特徴および範囲が充分に述べられたものと希望する。当業者ならば、本発明の教示を保持したまま数多くの変更形態、改変形態が装置に実施できることを即座に理解されよう。したがって上記の開示は、添付の特許請求の範囲による境界によってのみ制限されると解釈するものとする。
【図面の簡単な説明】
【００１７】
【図１】本発明の好ましい実施形態による調整装置の機能ブロック図である。
【図２】本発明の好ましい実施形態による調整モジュールの機能ブロック図である。
【符号の説明】
【００１８】
１  調整装置
１１  音声受信モジュール
１２  処理モジュール
１３  調整モジュール
１４  増幅器
１５  スピーカ
１２１  減算器
１２２  比較器
１２３  増幅器
【図１】
2007082173.tif 000003
【図２】
2007082173.tif 000004